(57)【要約】【課題】  スペースレベル（Ｉｓ）をピークホールド回路等を用いることなく簡易且つ円滑に検出し、これにより、変調度によるパワー調整を適正に行い得る光ディスク装置を提供する。【解決手段】  記録レーザパワーＰｐにて記録を行う際に、信号増幅回路から入力される再生ＲＦ信号をモニターし、サンプルホールド（Ｓ／Ｈ）信号をもとに、マーク領域の信号レベルＩｍとスペース領域の信号レベルＩｂを取得する。そして、取得した信号レベルＩｍと、マーク領域における記録レーザパワー設定値Ｐｐおよびスペース領域における参照レーザパワー設定値Ｐｂをもとに、Ｉｓ＝Ｉｂ×（Ｐｐ／Ｐｂ）を演算し、記録パワーの立ち上がり直後における反射光強度に応じた信号レベルＩｓを取得する。そして、信号レベルＩｓ、Ｉｍから変調度Ｍ（Ｍ＝（Ｉｓ−Ｉｍ）／Ｉｓ）を算出し、変調度Ｍが目標値となるようレーザパワーを調整する。【選択図】    図５
2006012222.tif 000002
【特許請求の範囲】
【請求項１】
記録レーザパワーを設定するレーザパワー設定手段と、前記レーザパワー設定手段によって設定されたパワー設定値を調整するパワー調整手段とを備え、
前記パワー調整手段は；
マーク区間を記録パワー設定値Ｐｐのレーザ光にて走査したときに記録マークが形成された後のディスク反射光量に応じた信号レベルＩｍを取得する第１のレベル取得手段と、
スペース区間を参照パワー設定値Ｐｂのレーザ光にて走査したときのディスク反射光量に応じた信号レベルＩｂを取得する第２のレベル取得手段と、
前記第２のレベル取得手段にて取得した信号レベルＩｂと前記パワー設定値ＰｐおよびＰｂに基づいて、マーク区間を前記パワー設定値Ｐｐのレーザ光にて走査したときに記録マークが形成される前のディスク反射光量に応じた信号レベルＩｓを取得する第３のレベル取得手段と、
前記第１および第３のレベル取得手段にて取得した信号レベルＩｍおよびＩｓに基づいて前記パワー設定値Ｐｐを調整する設定値調整手段とを有する、
ことを特徴とする光ディスク装置。
【請求項２】
請求項１において、
前記第３のレベル取得手段は、Ｉｓ＝Ｉｂ×（Ｐｐ／Ｐｂ）を演算することにより前記信号レベルＩｓを取得する、
ことを特徴とする光ディスク装置。
【請求項３】
請求項１または２において、
前記設定値調整手段は、前記信号レベルＩｍとＩｓから記録マークにおける変調度を求め、求めた変調度と目標値とを比較して、前記パワー設定値Ｐｐを調整する、
ことを特徴とする光ディスク装置。
【請求項４】
請求項３において、
前記設定値調整手段は、最適値として設定された記録パワー設定値にて試し書きを行った際に、前記第１、第２および第３のレベル取得手段にて信号レベルＩｍおよびＩｓを取得し、取得した信号レベルＩｍおよびＩｓをもとに当該試し書き時の変調度を求め、求めた変調度を前記目標値として設定する、
ことを特徴とする光ディスク装置。
【請求項５】
請求項４において、
前記試し書き時に取得された信号レベルＩｍおよびＩｓ、並びに／若しくは、これら信号レベルをもとに求めた変調度を目標値データとして当該光ディスクに記録し、記録動作時に、当該ディスクから前記目標値データを読み出して、前記設定値調整手段における基準値データとして用いる、
ことを特徴とする光ディスク装置。
【請求項６】
マーク区間を記録パワー設定値Ｐｐのレーザ光にて走査したときに記録マークが形成された後のディスク反射光量に応じた信号レベルＩｍを取得する第１のレベル取得手段と、
スペース区間を参照パワー設定値Ｐｂのレーザ光にて走査したときのディスク反射光量に応じた信号レベルＩｂを取得する第２のレベル取得手段と、
前記第２のレベル取得手段にて取得した信号レベルＩｂと前記パワー設定値ＰｐおよびＰｂに基づいて、マーク区間を前記パワー設定値Ｐｐのレーザ光にて走査したときに記録マークが形成される前のディスク反射光量に応じた信号レベルＩｓを取得する第３のレベル取得手段とを備え、
最適値として設定された記録パワー設定値にて試し書きを行った際に、前記第１、第２および第３のレベル取得手段にて信号レベルＩｍおよびＩｓを取得し、取得した信号レベルＩｍおよびＩｓ、並びに／若しくは、これら信号レベルＩｍおよびＩｓをもとに求めた当該試し書き時の変調度を、当該ディスクに記録する、
ことを特徴とする光ディスク装置。
【請求項７】
請求項６において、
前記第３のレベル取得手段は、Ｉｓ＝Ｉｂ×（Ｐｐ／Ｐｂ）を演算することにより前記信号レベルＩｓを取得する、
ことを特徴とする光ディスク装置。
【発明の詳細な説明】
【技術分野】
【０００１】
本発明は、レーザ光を用いて情報を記録および／もしくは再生する光ディスク装置に関し、特に、レーザパワーを調整する際に用いて好適なものである。
【背景技術】
【０００２】
現在、ＣＤ（Compact Disc）やＤＶＤ（Digital Versatile Disc）等、様々な光記録メディアが商品化され普及している。これらの記録メディアのうち、ＣＤ−ＲやＤＶＤ−Ｒ等の追記型メディアでは、記録層材料として有機色素が用いられているため、波長の変化に応じて記録層の反射率が変化する。すなわち、これらのメディアは記録特性に波長依存性を持っている。
【０００３】
一方、半導体レーザは、点灯後、時間とともに温度が上昇し、これに応じて、出射レーザ光の波長がシフトする。このため、ＣＤ−ＲやＤＶＤ−Ｒ等、波長依存性をもつ記録メディアでは、点灯後の波長変動に応じて、記録パワーを動的に変化させる必要がある。これに対し、以下に示す特許文献１には、記録中のＲＦ信号をもとに、記録パワーの設定値を動的に変化させる技術が記載されている。
【０００４】
図７（ａ）は、記録動作中に検出されるＲＦ信号を模式的に示すものである。図において、スペース部分では、再生パワーレベルにてレーザ光が記録層に照射され、マーク部分において、レーザパワーが記録パワーレベルに立ち上げられる。しかし、記録パワーの立ち上がり直後にはマークは形成されないため、記録パワーレベルのレーザ光をスペース部分に照射したときと同じ反射光量（ＲＦ信号＝Ｉｓ）が得られる。その後、記録層の温度上昇とともにマークが形成され始めると、これに応じて、反射光レベル（ＲＦ信号）が立下がり、次第に、マーク形成後の反射光レベル（ＲＦ信号＝Ｉｍ）へと遷移する。
【０００５】
ここで、記録パワーの立ち上がり直後の反射光レベル（ＲＦ信号＝Ｉｓ）とマーク部分の反射光レベル（ＲＦ信号＝Ｉｍ）が分かれば、反射光強度の変調度（Ｉｓ−Ｉｍ）／Ｉｓが計算でき、記録中にリアルタイムで記録マークの形成状態を監視することができる。そこで、特許文献１は、これらスペースレベル（Ｉｓ）とマークレベル（Ｉｍ）を記録中のＲＦ信号から検出し、反射光強度の変調度をもとに、記録レーザパワーを調整している。
【特許文献１】特許第３０９６２３９号公報
【発明の開示】
【発明が解決しようとする課題】
【０００６】
しかしながら、上記調整方法では、スペースレベル（Ｉｓ）の発生期間が極めて短いことから、これを検出するために、ピークホールド回路等、特別なハードウエア構成が別途必要となる。これに対し、スペースレベル（Ｉｓ）を用いずに、マークレベル（Ｉｍ）のみからレーザパワー調整を行えば、ピークホールド回路等、特別なハードウエア構成が必要とならず、構成の簡素化を図れる。しかし、この場合には、温度変化によって記録層の感度が変動することから、安定したレーザパワー調整が行えなくなるとの問題が生じる。
【０００７】
また、図７（ａ）は、マーク形成によって反射率が低下する、いわゆる、High-to-Lowディスクの場合のＲＦ信号を示すものであったが、マーク形成によって反射率が上昇する、いわゆる、Low-to-Highディスクの場合のＲＦ信号は、同図（ｂ）に示すような波形となる。この場合、同図に示すように、スペースレベル（Ｉｓ）はピークとならないため、ピークホールド回路等を用いても、正確にレベル検出できず、よって、何らかの手法によってスペースレベル（Ｉｓ）を検出しない限り、変調度によるパワー調整は不可能となる。
【０００８】
そこで、本発明は、スペースレベル（Ｉｓ）をピークホールド回路等を用いることなく簡易且つ円滑に検出し、これにより、変調度によるパワー調整を適正に行い得る光ディスク装置を提供することを課題とする。
【課題を解決するための手段】
【０００９】
上記課題に鑑み本発明は、それぞれ以下の特徴を有する。
【００１０】
第１の発明に係る光ディスク装置は、記録レーザパワーを設定するレーザパワー設定手段と、前記レーザパワー設定手段によって設定されたパワー設定値を調整するパワー調整手段とを備えており、このうち、パワー調整手段は、マーク区間を記録パワー設定値Ｐｐのレーザ光にて走査したときに記録マークが形成された後のディスク反射光量に応じた信号レベルＩｍを取得する第１のレベル取得手段と、スペース区間を参照パワー設定値Ｐｂのレーザ光にて走査したときのディスク反射光量に応じた信号レベルＩｂを取得する第２のレベル取得手段と、前記第２のレベル取得手段にて取得した信号レベルＩｂと前記パワー設定値ＰｐおよびＰｂに基づいて、マーク区間を前記パワー設定値Ｐｐのレーザ光にて走査したときに記録マークが形成される前のディスク反射光量に応じた信号レベルＩｓを取得する第３のレベル取得手段と、前記第１および第３のレベル取得手段にて取得した信号レベルＩｍおよびＩｓに基づいて前記パワー設定値Ｐｐを調整する設定値調整手段とを有している。
【００１１】
第２の発明は、上記第１の発明に係る光ディスク装置において、前記第３のレベル取得手段は、Ｉｓ＝Ｉｂ×（Ｐｐ／Ｐｂ）を演算することにより前記信号レベルＩｓを取得する。
【００１２】
第３の発明は、上記第１または第２の発明に係る光ディスク装置において、前記設定値調整手段は、前記信号レベルＩｍとＩｓから記録マークにおける変調度を求め、求めた変調度と目標値とを比較して、前記パワー設定値Ｐｐを調整する。
【００１３】
第４の発明は、上記第３の発明に係る光ディスク装置において、前記設定値調整手段は、最適値として設定された記録パワー設定値にて試し書きを行った際に、前記第１、第２および第３のレベル取得手段にて信号レベルＩｍおよびＩｓを取得し、取得した信号レベルＩｍおよびＩｓをもとに当該試し書き時の変調度を求め、求めた変調度を前記目標値として設定する。
【００１４】
第５の発明は、上記第４の発明に係る光ディスク装置において、前記試し書き時に取得された信号レベルＩｍおよびＩｓ、並びに／若しくは、これら信号レベルをもとに求めた変調度を目標値データとして当該光ディスクに記録し、記録動作時に、当該ディスクから前記目標値データを読み出して、前記設定値調整手段における基準値データとして用いることを特徴とする。
【００１５】
第６の発明に係る光ディスク装置は、マーク区間を記録パワー設定値Ｐｐのレーザ光にて走査したときに記録マークが形成された後のディスク反射光量に応じた信号レベルＩｍを取得する第１のレベル取得手段と、スペース区間を所定パワー設定値Ｐｂのレーザ光にて走査したときのディスク反射光量に応じた信号レベルＩｂを取得する第２のレベル取得手段と、前記第２のレベル取得手段にて取得した信号レベルＩｂと前記パワー設定値ＰｐおよびＰｂに基づいて、マーク区間を前記パワー設定値Ｐｐのレーザ光にて走査したときに記録マークが形成される前のディスク反射光量に応じた信号レベルＩｓを取得する第３のレベル取得手段とを備え、最適値として設定された記録パワー設定値にて試し書きを行った際に、前記第１、第２および第３のレベル取得手段にて信号レベルＩｍおよびＩｓを取得し、取得した信号レベルＩｍおよびＩｓ、並びに／若しくは、これら信号レベルＩｍおよびＩｓをもとに求めた当該試し書き時の変調度を、当該ディスクに記録することを特徴とする。
【００１６】
第７の発明は、上記第６の発明に係る光ディスク装置において、前記第３のレベル取得手段は、Ｉｓ＝Ｉｂ×（Ｐｐ／Ｐｂ）を演算することにより前記信号レベルＩｓを取得することを特徴とする。
【発明の効果】
【００１７】
本発明によれば、第２のレベル取得手段によって取得した信号レベルＩｂと、記録パワーの設定値Ｐｐおよび参照パワー設定値Ｐｂに基づいて信号レベルＩｓを求めるものであるから、ピークホールド回路等の特別なハードウエア構成を別途用いることなく信号レベルＩｓを取得することができ、また、Low-to-Highディスクの場合のように信号レベルＩｓがピーク値になっていない場合にも、信号レベルＩｓを円滑に取得することができる。したがって、本発明によれば、信号レベルＩｓ、Ｉｍを用いながら、簡易かつ適正に、レーザパワー調整を行うことができる。
【００１８】
なお、第６および第７の発明のように、最適レーザパワーにて試し書きを行った際の信号レベルＩｓ、Ｉｍ、および／若しくは、これらをもとに求めた変調度をディスクに記録しておけば、記録の度に、あるいは、異なる装置にディスクが装着された際に、再度、試し書きを行う必要がなく、もって、処理の簡素化とともに、試し書きによる記録領域の浪費を抑制することができる。
【００１９】
この他、本発明の特徴ないし意義は、以下に示す実施の形態の説明により更に明らかとなろう。ただし、以下の実施形態は、本発明の一つの例示形態であって、本発明ないし各構成要件の用語の意義は、以下の実施形態に制限されるものではない。
【発明を実施するための最良の形態】
【００２０】
以下、本発明の実施の形態につき図面を参照して説明する。
【００２１】
まず、図１に実施の形態に係るディスク（ＤＶＤ＋Ｒ）の構成を示す。図示の如く、ディスク１００は、その径方向に、インナードライブエリア、リードインエリア、データエリア、リードアウトエリア、アウタードライブエリアに領域分割されている。さらに、インナードライブエリアとアウタードライブエリアは種々のゾーンに区分されており、このうち、インナーディスクテストゾーンおよびアウターディスクテストゾーンを用いて、レーザパワーの初期設定（ＯＰＣ：Optimum Write Power Control）が行われる。
【００２２】
また、ディスク１００には、内周から外周に向かって螺旋状のグルーブが形成されており、このグルーブに対してデータの記録が行われる。ここで、グルーブは、径方向に蛇行（ウォブル）しており、このウォブルによってアドレス情報が保持されている。すなわち、ＡＤＩＰ（Address in pre-groove）と呼ばれる位相変調区間が、単調蛇行区間中に一定周期で挿入されており、かかる位相変調区間をビームが走査するとき、その反射光強度の変化からグルーブ上のアドレス情報が読み取られ再生される。また、リードイン領域のＡＤＩＰには、当該ディスクに対する種々の制御データが位相変調によって記録されており、その中に、当該ディスクを製造したディスク製造業者の識別情報（マニュファクチャＩＤ）が含まれている。
【００２３】
図２に、実施の形態に係る光ディスク装置の構成を示す。
【００２４】
図示の如く、光ディスク装置は、ＥＣＣエンコーダ１０１と、変調回路１０２と、レーザ駆動回路１０３と、レーザパワー調整回路１０４と、光ピックアップ１０５と、信号増幅回路１０６と、復調回路１０７と、ＥＣＣデコーダ１０８と、サーボ回路１０９と、ＡＤＩＰ再生回路１１０と、コントローラ１１１と、温度センサー１１２から構成されている。
【００２５】
ＥＣＣエンコーダ１０１は、入力された記録データに誤り訂正符号を付加し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたレーザパワーに設定される。
【００２６】
レーザパワー調整回路１０４は、記録および再生時のレーザパワーを初期設定するとともに、設定したレーザパワーを、コントローラ１１１から供給される調整値に応じて適宜調整し、これをレーザ駆動回路１０３に供給する。ここで、レーザパワーの初期設定は、たとえばβ法に従って行われる。すなわち、コントローラ１１１から当該ディスクのβ値（βtarget）を取得し、取得したβtargetをもとに、当該ディスクに対する記録レーザパワーを最適パワーに設定する。なお、設定処理の詳細については後述する。
【００２７】
光ピックアップ１０５は、半導体レーザ１０５ａおよび光検出器１０５ｂを備え、レーザ光をグルーブ上に収束させることにより、ディスクに対するデータの書き込み／読み出しを行う。なお、光ピックアップ１０５は、この他、グルーブに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００２８】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、ＥＣＣデコーダ１０８に出力する。ＥＣＣデコーダ１０８は、復調回路１０７から入力された再生データに誤り訂正を施し、後段回路に出力する。
【００２９】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。
【００３０】
ＡＤＩＰ再生回路１１０は、信号増幅回路１０６から入力されたウォブル信号からアドレス情報および各種コントロール情報を再生し、これらをコントローラ１１１に出力する。
【００３１】
コントローラ１１１は、内蔵メモリに各種データを格納するとともに、あらかじめ設定されたプログラムに従って、各部を制御する。なお、コントローラ１１１には、マニュファクチャＩＤと目標β値（βtarget）とを対応付けたβ値テーブルが保持されている。コントローラ１１１は、当該ディスクのリードイン領域（ＡＤＩＰ）から取得したマニュファクチャＩＤと、上記β値テーブルとを比較し、対応するβtargetを読み出してレーザパワー調整回路１０４に出力する。これをもとに、レーザパワー調整回路１０４は、記録レーザパワーの初期設定を行う。
【００３２】
温度センサー１１２は、ドライブ内温度を検出し、検出結果をコントローラ１１１に出力する。かかる温度センサー１１２は、光ディスクの記録位置近傍の温度を検出するよう配置するのが好ましい。
【００３３】
次に、上記レーザパワー調整回路１０４におけるレーザパワーの初期設定動作（ＯＰＣ）について説明する。
【００３４】
まず、図３にβ値の算出方法を示す。図示の如く、β値は、再生信号のアシンメトリーをもとに算出される。すなわち、β値は、アシンメトリーの振幅値Ａ１、Ａ２とオフセット値ＯＳから、
β＝｛（A1−OS）−（A2＋OS）｝／｛（A1−OS）＋（A2＋OS）｝  …（１）
を演算して求められる。
【００３５】
図４に、記録レーザパワーＰｐの初期設定方法（ＯＰＣ）を示す。図示の如く、記録レーザパワーＰｐは、予め決められた２種のレーザパワー（Ｐｗ１、Ｐｗ２）にて上記インナーディスクテストゾーンまたはアウターディスクテストゾーンの何れかにテストデータを記録し、これを再生したときのβ値（β１、β２）に基づいて求められる。すなわち、β値（β１、β２）から線形直線を求め、この線形直線と、上記コントローラ１１１から供給される当該ディスクのβtargetとの交点を求め、求めた交点に対応するレーザパワーを当該ディスクの記録レーザパワーＰｐとして仮決定する。
【００３６】
しかる後、仮設定された記録レーザパワーＰｐにて、再度、インナーディスクテストゾーンまたはアウターディスクテストゾーンの何れかにテストデータを記録し、これを再生したときの誤り率をもとに、仮設定された記録レーザパワーの適否を検証する。そして、当該誤り率が所定の閾値以下であれば、仮設定した記録レーザパワーＰｐを最適レーザパワーとして設定し、誤り率が閾値を越えていれば、上記図４に示すレーザパワーの設定処理を繰り返す。
【００３７】
なお、コントローラ１１１は、かかる初期設定時に、再生ＲＦ信号に対する信号レベルＩｓ、Ｉｍの取得処理を併せて行う。図５（ａ）を参照して、かかる処理の詳細を説明する。
【００３８】
上記の如く仮設定された記録レーザパワーＰｐにて試し書きを行う際に、コントローラ１１１は、信号増幅回路１０６から入力される再生ＲＦ信号をモニターし、サンプルホールド（Ｓ／Ｈ）信号をもとに、マーク領域の信号レベルＩｍとスペース領域の信号レベルＩｂを取得する。そして、取得した信号レベルＩｍと、マーク領域における記録レーザパワー設定値Ｐｐおよびスペース領域における参照レーザパワー設定値Ｐｂをもとに、Ｉｓ＝Ｉｂ×（Ｐｐ／Ｐｂ）を演算し、記録パワーの立ち上がり直後における反射光強度に応じた信号レベルＩｓを取得する。
【００３９】
コントローラ１１１は、仮設定された記録レーザパワーＰｐが上記の如く誤り率をもとに最適レーザパワーとして設定されたことに応じて、取得した信号レベルＩｓ、Ｉｍを当該ディスクのコントロールエリアに記録する。記録された信号レベルＩｓ、Ｉｍは、後述の如く、記録レーザパワーＰｐを記録動作途中に調整する際に用いられる。
【００４０】
なお、これら信号レベルＩｓ、Ｉｍからさらに変調度Ｍ（Ｍ＝（Ｉｓ−Ｉｍ）／Ｉｓ）を算出し、これを併せてコントロールエリアに記録するようにしてもよい。あるいは、信号レベルＩｓ、Ｉｍに代えて、変調度Ｍをコントロールエリアに記録するようにしてもよい。
【００４１】
この他、本実施形態では、試し書き時に温度センサー１１２にて検出された温度と、当該光ディスク装置を識別するための識別情報（セット番号、等）が併せてコントロールエリアに記録される。
【００４２】
次に、上記ＯＰＣにて初期設定された記録レーザパワーＰｐを記録動作途中に調整する調整動作（Ｒ−ＯＰＣ）について説明する。
【００４３】
図５に、かかる調整動作の処理フローを示す。
【００４４】
記録動作の開始要求があると（Ｓ１０１）、まず、コントローラ１１１は、当該記録動作がディスク入れ替え後に初めて行われるものであるかを判定する（Ｓ１０２）。この判定がＹｅｓであれば、次に、当該ディスクのコントロールエリアから読み出した識別情報（セット番号、等）と自身の識別情報とが一致するかを判定する（Ｓ１０３）。
【００４５】
なお、ここでは、コントロールエリアに記録された情報は、当該記録動作の開始に先立って、たとえば、ディスク装着時にディスクから読み出され、コントローラ１１１の内蔵メモリに格納されているものとする。また、未記録ディスク等、当該ディスクのコントロールエリアに未だ識別情報が記録されていない場合には、Ｓ１０３の判定はＹｅｓとなる。
【００４６】
Ｓ１０３の判定がＹｅｓであれば、コントローラ１１１は、上記の如くしてＯＰＣ動作を実行し、記録レーザパワーＰｐを設定する（Ｓ１０４）。同時に、かかるＯＰＣの試し書きの際に、上記の如くして信号レベルＩｓ、Ｉｍを取得し、取得した信号レベルＩｓ、Ｉｍから変調度Ｍｏ（Ｍｏ＝（Ｉｓ−Ｉｍ）／Ｉｓ）を算出する（Ｓ１０５）。そして、記録レーザパワーＰｐ、信号レベルＩｓ、Ｉｍ、変調度Ｍｏと、当該ＯＰＣ時に温度センサー１１２にて検出された温度Ｔｏおよび自身の識別情報（セット番号、等）を、当該ディスクのコントロールエリアに記録する（Ｓ１０６）。なお、Ｓ１０４およびＳ１０５にて取得された記録レーザパワーＰｐ、信号レベルＩｓ、Ｉｍ、変調度Ｍｏは、当該記録動作時に使用するパラメータとして設定される。
【００４７】
一方、Ｓ１０２にて、当該記録動作がディスク入れ替え後に初めて行われるものではないと判別された場合（Ｓ１０２：Ｎ）、あるいは、当該記録動作がディスク入れ替え後に初めて行われるものではあるが、Ｓ１０３にて、当該ディスクのコントロールエリアから読み出した識別情報（セット番号、等）と自身の識別情報とが一致すると判別された場合（Ｓ１０３：Ｎ）には、コントローラ１１１は、現時点の温度Ｔｃを温度センサー１１２から取得し、現時点の温度Ｔｃと、当該ディスクのコントロールエリアから取得した温度Ｔｏの差ΔＴを算出する（Ｓ１１１）。そして、この温度差ΔＴが、閾値温度差Ｔｓより小さいかを判別し（Ｓ１１２）、小さければ、当該ディスクのコントロールエリアから取得した記録レーザパワーＰｐ、信号レベルＩｓ、Ｉｍ、変調度Ｍｏを、当該記録動作時に使用するパラメータとして設定する（Ｓ１１３）。また、温度差ΔＴが閾値温度差Ｔｓ以上であれば、Ｓ１０４に進み、ＯＰＣによる記録レーザパワーＰｐの設定と、信号レベルＩｓ、Ｉｍ、変調度Ｍｏ等の取得および記録処理を実行する。
【００４８】
しかる後、コントローラ１１１は、光ピックアップ１０５を記録位置にアクセスさせ、記録レーザパワーＰｐにて記録データを順次記録する（Ｓ１０７）。
【００４９】
記録動作の実行途中に、記録レーザパワーＰｐの調整タイミングが到来すると（Ｓ１０８：Ｙ）、コントローラ１１１は、そのときに信号増幅回路１０６から入力された再生ＲＦ信号から、上記図５に示す如くして、信号レベルＩｓ、Ｉｍを取得する（Ｓ１０９）。そして、取得した信号レベルＩｓ、Ｉｍから変調度Ｍ（Ｍ＝（Ｉｓ−Ｉｍ）／Ｉｓ）を算出し、算出した変調度ＭをＳ１０５またはＳ１１３にて取得した変調度Ｍｏと比較し、比較結果に応じて、記録レーザパワーＰｐを調整する。
【００５０】
かかる調整は、たとえば、以下のようにして行う。
【００５１】
(1) Ｍ＝ＭｏならばＰｐ＝Ｐｐ
(2) Ｍ＜ＭｏならばＰｐ＝Ｐｐ＋α
(3) Ｍ＞ＭｏならばＰｐ＝Ｐｐ−α
この他、両変調度の差に応じてαを増減するようにしても良い。
【００５２】
なお、記録レーザパワーＰｐの調整タイミングは、たとえば、記録動作開始から一定時間が経過する毎のタイミングとされる。あるいは、温度センサー１１２によって検出される温度Ｔが、前回の記録レーザパワー調整時の温度に対して所定の温度幅以上変化したときのタイミングとしてもよい。
【００５３】
以上、本実施の形態によれば、信号レベルＩｂと、記録パワーの設定値Ｐｐおよび参照パワー設定値Ｐｂに基づいて信号レベルＩｓを求めるものであるから、ピークホールド回路等の特別なハードウエア構成を別途用いることなく信号レベルＩｓを取得することができる。これにより、記録レーザパワーの調整動作（Ｒ−ＯＰＣ）を、簡易かつ適正に、行うことができる。
【００５４】
加えて、上記実施の形態では、記録レーザパワーＰｐ、信号レベルＩｓ、Ｉｍ、変調度Ｍｏと、当該ＯＰＣ時に温度センサー１１２にて検出された温度Ｔｏおよび自身の識別情報（セット番号、等）を、当該ディスクのコントロールエリアに記録し、Ｒ−ＯＰＣ時の温度Ｔと前記温度Ｔｏの差ΔＴが閾値温度Ｔｓの範囲内にあれば、コントロールエリアに保持されているデータを当該記録動作時の基準データとして用いるようにしたことから、不必要なＯＰＣ動作と、試し書きによる信号レベルＩｓ、Ｉｍおよび変調度Ｍｏの取得動作を回避することができる。もって、処理の簡素化とともに、試し書きによるテストエリア（ディスクテストゾーン）の浪費を抑制することができる。
【００５５】
なお、本実施の形態では、ＤＶＤ＋Ｒディスクに記録・再生を行う光ディスク装置を示したが、これ以外の光ディスク装置に本発明を適用することも勿論可能である。また、青色レーザ光を用いた次世代ＤＶＤでは、記録マークの形成によって反射率が上昇する、いわゆる、Low-to-Highディスクも検討されており、かかるディスクに対して記録・再生を行う光ディスク装置に本発明を適用した場合にも、信号レベルＩｓ、Ｉｍを円滑に取得できる。よって、変調度による記録レーザパワー調整を適正に行うことができる。
【００５６】
なお、図５（ｂ）は、かかるLow-to-Highディスクに記録を行ったときのＲＦ信号とＳ／Ｈ信号の関係を示す図である。この場合も、サンプルホールド（Ｓ／Ｈ）信号をもとに、マーク領域の信号レベルＩｍとスペース領域の信号レベルＩｂを取得し、このうち、信号レベルＩｍと、マーク領域における記録レーザパワー設定値Ｐｐおよびスペース領域における参照レーザパワー設定値Ｐｂをもとに、Ｉｓ＝Ｉｂ×（Ｐｐ／Ｐｂ）を演算することで、記録パワーの立ち上がり直後における反射光強度に応じた信号レベルＩｓを取得することができる。そして、算出したＩｓと、マーク領域の信号レベルＩｍからＭ＝（Ｉｓ−Ｉｍ）／Ｉｓを算出して変調度Ｍすることができる。かかる変調度Ｍをもとに、上記実施形態と同様にして記録レーザパワー調整を行うことで、記録レーザパワーを適正値に追従させることができる。
【００５７】
また、図６のフローチャートでは、Ｓ１１２がＹｅｓのとき、当該ディスクのコントロールエリアから取得した記録レーザパワーＰｐをそのまま当該記録動作時の記録レーザパワーに設定するようにしたが（Ｓ１１３）、このとき、温度差ΔＴの大きさから補正係数ａを設定し、コントロールエリアから取得した記録レーザパワーＰｐに補正係数ａを乗じたものを、当該記録動作時の記録レーザパワーに設定するようにしても良い。こうすると、記録動作開始時の記録レーザパワーをより適正値に設定することができる。
【００５８】
なお、補正係数ａの設定は、予め、温度差ΔＴと補正係数ａとを対応付けたテーブルをコントローラ１１１に準備し、このテーブルを参照して、温度差ΔＴに対応する補正係数ａを取得する方法を採用することができる。あるいは、ＤＶＤの場合は、温度変化とレーザ光の波長シフトの関係が知られている（１０℃で２ｎｍ程度シフト）ので、これと、記録層の波長特性の一般的傾向から、温度差ΔＴをもとに補正係数ａを近似算出するようにしても良い。
【００５９】
また、上記実施形態では、当該記録動作がディスク入れ替え後に初めて行われるものではないと判別された場合（Ｓ１０２：Ｎ）、あるいは、当該記録動作がディスク入れ替え後に初めて行われるものではあるが、Ｓ１０３にて、当該ディスクのコントロールエリアから読み出した識別情報（セット番号、等）と自身の識別情報とが一致すると判別された場合（Ｓ１０３：Ｎ）には、現時点の温度Ｔｃと当該ディスクのコントロールエリアから取得した温度Ｔｏの差ΔＴが閾値温度差Ｔｓ以上の場合にのみ、ＯＰＣ動作ないし試し書きによる信号レベルＩｓ、Ｉｍ、変調度Ｍｏ等の取得動作を行うようにしたが、記録動作の開始時には常に、ＯＰＣ動作ないし試し書きによる基準データの取得動作を実行するようにしても良い。かかる場合、Ｓ１０６における記録（記録レーザパワーＰｐ、信号レベルＩｓ、Ｉｍ等の記録）は省略できる。但し、この場合には、記録動作のたびに、ＯＰＣないし試し書きによってディスクテストゾーンが使用されるため、データエリアが使い尽くされる前に、ディスクテストゾーンが使い尽くされてしまう可能性が高くなる。
【００６０】
この他、本発明の実施の形態は、特許請求の範囲に示された技術的思想の範囲内において、適宜、種々の変更が可能である。
【図面の簡単な説明】
【００６１】
【図１】実施の形態に係る光ディスクの構成を示す図
【図２】実施の形態に係る光ディスク装置の構成を示す図
【図３】実施の形態に係るβ値の算出方法を説明する図
【図４】実施の形態に係るレーザパワーの設定方法を説明する図
【図５】実施の形態に係るレーザパワーの調整方法を説明する図
【図６】実施の形態に係るレーザパワー調整処理を示すフローチャート
【図７】従来技術の問題点を説明する図
【符号の説明】
【００６２】
１０３  レーザ駆動回路
１０４  レーザパワー調整回路
１０５  光ピックアップ
１０６  信号増幅回路
１１１  コントローラ
【図１】
2006012222.tif 000003
【図２】
2006012222.tif 000004
【図３】
2006012222.tif 000005
【図４】
2006012222.tif 000006
【図５】
2006012222.tif 000007
【図６】
2006012222.tif 000008
【図７】
2006012222.tif 000009